(57)【特許請求の範囲】
【請求項１】
画面内にボタンを表示し、通常モードでは、操作されたボタンに応じて、表示中の画面から下位階層の画面と、上位階層の画面の何れか一方に、表示する画面を切り替える表示部と、
前記表示部の画面に対する操作を受け付け、前記表示部に表示されたボタンに対する操作を受け付けるためのタッチパネル部と、を含み、
前記タッチパネル部が予め定められた第１操作を受け付けたとき、
前記表示部は、一覧表示モードでの表示を開始し、前記一覧表示モードでは、前記第１操作がなされた画面に対して１つ下の階層の画面から下位階層に向けて１つずつ階層を降りていくように選択される各階層の画面を、前記通常モードのときよりも縮小した縮小画面として、予め定められた画面数以下で、上位階層の画面から順に一覧表示し、
前記タッチパネル部は、前記一覧表示モードで一覧表示された何れかの前記縮小画面に含まれるボタンに対する操作である指定操作を受け付け、
前記指定操作がなされたとき、
前記表示部は、前記指定操作がなされた前記縮小画面以上、階層的に上位の前記縮小画面をそのまま表示し、前記指定操作がなされた前記縮小画面よりも階層的に下位の前記縮小画面に代えて、前記指定操作がなされたボタンに対応する画面の前記縮小画面を表示することを特徴とする表示入力装置。
【請求項２】
前記タッチパネル部は、前記通常モードで、画面内に表示された何れかのボタンを長押しする操作を前記第１操作として受け付け、
前記一覧表示モードとなったとき、
前記表示部は、前記第１操作がなされたボタンに対応する画面を１階層目の画面とし、前記１階層目の画面から下位階層に向けて１つずつ階層を降りていくように選択される各階層の画面を縮小して一覧表示することを特徴とする請求項１に記載の表示入力装置。
【請求項３】
前記指定操作がなされたとき、
前記表示部は、前記指定操作がなされた前記縮小画面よりも階層的に下位の前記縮小画面に代えて、前記指定操作がなされたボタンに対応する画面の前記縮小画面と、前記対応する画面から下位階層に向けて１つずつ階層を降りていくように選択される各階層の画面の前記縮小画面を表示することを特徴とする請求項１又は２に記載の表示入力装置。
【請求項４】
前記表示部は、前記一覧表示モードでは、階層的に予め定められた配列順で前記縮小画面を一覧表示することを特徴とする請求項１乃至３の何れか１項に記載の表示入力装置。
【請求項５】
前記表示部は、前記第１操作がなされたボタンに対して予め定められた経路で１つずつ階層を降りていく過程の画面の前記縮小画面を一覧表示するか、画面内のうち予め定められた位置のボタンに対する操作を行ったものとして１つずつ階層を降りていく過程の画面の前記縮小画面を一覧表示するか、又は、前記第１操作がなされたボタンに対応する画面から階層的に最も深い画面に到るように１つずつ階層を降りていく過程の画面の前記縮小画面を一覧表示することを特徴とする請求項１乃至４の何れか１項に記載の表示入力装置。
【請求項６】
前記タッチパネル部が予め定められた終了操作を受け付けたとき、
前記表示部は、前記一覧表示モードを終了して前記通常モードに戻り、前記通常モードに戻ると、前記第１操作がなされた開始された画面を表示することを特徴とする請求項１乃至５の何れか１項に記載の表示入力装置。
【請求項７】
前記タッチパネル部が予め定められた終了操作を受け付けたとき、
前記表示部は、前記一覧表示モードを終了して前記通常モードに戻り、前記通常モードに戻ると、一覧表示されている前記縮小画面のうち、いずれかの前記縮小画面の通常サイズの画面を表示することを特徴とする請求項１乃至５の何れか１項に記載の表示入力装置。
【請求項８】
請求項１乃至７の何れか１項に記載の表示入力装置を含むことを特徴とする画像形成装置。
【発明の詳細な説明】
【技術分野】
【０００１】
本発明は、表示部と、タッチパネル等を有する表示入力装置に関する。又、この表示入力装置を備えた画像形成装置に関する。
【背景技術】
【０００２】
例えば、装置、機器には、各種設定入力のために、表示入力装置が取り付けられることがある。表示入力装置により設定や文字の入力が可能とされる。そして、携帯電話端末などでは、設けられるハードキーの数が限られ、１つのキーに複数の役割（意味合い）を割り当てる場合がある。そのため、現在の状態でキーに割り当てられた処理を知らないために、入力ミスが生ずる場合や、キーを押す回数が増える場合がある。このような操作性の低下を防ぐため、以下のような技術が特許文献１に記載されている。
【０００３】
具体的に、特許文献１には、キーの押下をそのキーに割り付けられた処理の実行指示として入力する入力手段、キーが継続的に押下される長押し状態を検出する長押し検出手段、長押し状態となったことが検出された場合、前記入力手段による入力を禁止するとともに、キーに割り付けられた処理をユーザーに対して報知する所定の報知動作を行う報知手段とを備えた入力装置が記載されている。この構成によれば、各キーに割り付けた処理をユーザーが容易に確認できるようにしようとする（特許文献１：請求項１、段落［００２１］等参照）。
【先行技術文献】
【特許文献】
【０００４】
【特許文献１】特開２００２−３１２１０５号公報
【発明の概要】
【発明が解決しようとする課題】
【０００５】
複写機、複合機、プリンター、ＦＡＸ装置のような画像形成装置には、表示入力装置（「操作パネル」と称されることもある）が設けられることがある。そして、画像形成装置のような装置では、操作パネルは、設定項目を選択する画面や、設定値を設定するための画面を表示する。選択可能な設定項目や、設定可能な設定値は多数に及ぶので、画面は、複数（多数）の種類、用意される。
【０００６】
具体的に、ユーザーがある設定値を設定したい場合、まず、階層上、最上位の画面を表示させる。そして、画面上で設定項目（分類、カテゴリーともいえる）を選択するためのボタン（キー）を操作して（表示位置をタッチして）、次の階層（１つ下の階層）の画面を表示させる。更に必要であれば、切り替えられた画面内の更に下位の設定項目を選択するためのボタンのうち、所望の画面に到達できそうなボタンを操作する（更に１つ下の階層に移動する）。このようなボタンの選択が、所望の画面に到達するまでに繰り返される。言い換えると、所望の画面に到達するには、ボタンへの操作を繰り返して、適切な経路を辿るように画面の階層を１つずつ下っていく操作が求められる。このように、操作パネルでの表示は、階層構造（ツリー状の構造）となっている。
【０００７】
従来、表示画面を切り替えるには、画面内のボタンを実際に操作する必要がある。言い換えると、ボタンの表示位置にタッチしなければ、画面の表示は切り替えられないようになっている。そのため、複数階層分、下位の画面を確認するには、複数回、実際に画面内の何れかのボタンを押して（操作して）、画面を切り替えなければならない。そのため、下位の階層にどのような画面があるか容易に確認しづらいという問題がある。特に、１度の操作では、現在の画面よりも２以上の下位階層の画面を確認できず、複数のボタンに対して操作を繰り返さなくてはならない。また、切り替え後の画面が所望の画面でなければ、もとの画面に戻る操作をしなくてはならない。そのため、所望の画面に到達し、設定値を設定するには、多くの時間や操作が必要となる場合もある。
【０００８】
また、画像形成装置の設定を完了するには、１〜２階層よりも更に多くの階層を降りてゆかなくてはならない場合がある（例えば、システムに関する設定）。このような場合、画面の遷移（下位の階層方向への画面の切替）を繰り返す必要がある。また、目的とする画面の階層が深いため、なかなか所望の画面に至る経路を探し当てられず、誤った画面への遷移と、戻る操作を繰り返してしまう場合もある。また、画面切替と戻る操作の繰り返しにより、現在の階層がどの階層であるかわからなくなる場合があるという問題もある。
【０００９】
ここで、特許文献１記載の携帯電話端末は、長押ししたキーに割り当てられた機能（処理）が表示させる。しかし、割り当てられた機能を表示するのみで、どのような画面が表示されるか、実際にボタンを押さなければ確認することができない。また、表示画面の階層を遷移するには、その都度、ボタンに対する操作が必要であり、１度の操作で複数階層隔てた画面を確認することができない。また、誤ってキーを押す操作と、その後の戻る操作の繰り返しによって、現在の階層がどの階層であるかわからなくなる可能性もある。
【００１０】
本発明は、上記の問題点に鑑み、ボタン（キー）に対する簡単な１つの操作に基づき、ある画面から下位階層に向けての複数画面分の内容を一気にかつ直ちに確認できるようにし、どのような画面が下位階層にあるかを確認しやすくし、操作すると表示される画面や画面の表示における階層構造を容易に確認できるようにする。
【課題を解決するための手段】
【００１１】
上記課題解決のため請求項１に係る表示入力装置は、画面内にボタンを表示し、通常モードでは、操作されたボタンに応じて、表示中の画面から下位階層の画面と、上位階層の画面の何れか一方に、表示する画面を切り替える表示部と、前記表示部の画面に対する操作を受け付け、前記表示部に表示されたボタンに対する操作を受け付けるためのタッチパネル部と、を含み、前記タッチパネル部が予め定められた第１操作を受け付けたとき、前記表示部は、一覧表示モードでの表示を開始し、前記一覧表示モードでは、前記第１操作がなされた画面に対して１つ下の階層の画面から下位階層に向けて１つずつ階層を降りていくように選択される各階層の画面を、前記通常モードのときよりも縮小した縮小画面として、予め定められた画面数以下で、上位階層の画面から順に一覧表示し、前記タッチパネル部は、前記一覧表示モードで一覧表示された何れかの前記縮小画面に含まれるボタンに対する操作である指定操作を受け付け、前記指定操作がなされたとき、前記表示部は、前記指定操作がなされた前記縮小画面以上、階層的に上位の前記縮小画面をそのまま表示し、前記指定操作がなされた前記縮小画面よりも階層的に下位の前記縮小画面に代えて、前記指定操作がなされたボタンに対応する画面の前記縮小画面を表示することとした。
【発明の効果】
【００１２】
本発明によれば、ボタン（キー）に対する簡単な１つの操作に基づき、ボタンを操作すると表示される複数画面分の内容確認を可能とし、ユーザーは、所望する画面がどこに有るかを容易に確認することができる。また、画面の表示における階層構造を容易に確認できる表示入力装置を提供することができる。
【図面の簡単な説明】
【００１３】
【図１】実施形態に係る複合機の一例を示す図である。
【図２】実施形態に係る操作パネルの一例を示す図である。
【図３】実施形態に係る複合機のハードウェア構成の一例を示す図である。
【図４】実施形態に係る操作パネルの画面表示の階層構造の一例を示す図である。
【図５】実施形態に係る操作パネルで表示される画面の一例を示す図である。
【図６】実施形態に係る操作パネルで表示される画面の一例を示す図である。
【図７】実施形態に係る操作パネルで表示される画面の一例を示す図である。
【図８】実施形態に係る操作パネルで表示される画面の一例を示す図である。
【図９】実施形態に係る操作パネルで表示される画面の一例を示す図である。
【図１０】実施形態に係る操作パネルで表示される画面の一例を示す図である。
【図１１】実施形態に係る操作パネルで表示される画面の一例を示す図である。
【図１２】実施形態に係る操作パネルで表示される画面の一例を示す図である。
【図１３】実施形態に係る操作パネルで表示される画面の一例を示す図である。
【図１４】実施形態に係る操作パネルで表示される画面の一例を示す図である。
【図１５】実施形態に係る操作パネルでの一覧表示の一例を示す図である。
【図１６】実施形態に係る操作パネルの一覧表示モードでの経路設定の一例を示す図である。
【図１７】本実施形態の操作パネルでの指定操作による一覧表示している画面の切替の一例を示す図である。
【図１８】本実施形態の操作パネルでの指定操作による一覧表示している画面の切替の一例を示す図である。
【図１９】本実施形態の操作パネルでの指定操作による一覧表示している画面の切替の一例を示す図である。
【発明を実施するための形態】
【００１４】
本発明の実施形態を図１〜図１９を用いて説明する。ここで、本発明は、各種表示入力装置に適用可能であるが、複合機１００（画像形成装置に相当）に設けられた操作パネル１（表示入力装置に相当）を例に挙げ説明する。但し、本実施の形態に記載されている構成、配置等の各要素は、発明の範囲を限定せず、単なる説明例にすぎない。
【００１５】
（複合機１００の概略構成）
まず、図１に基づき、実施形態に係る複合機１００本体の概略を説明する。図１は、実施形態に係る複合機１００の一例を示す図である。
【００１６】
本実施形態の複合機１００は、上部に画像読取部２ａ、原稿搬送部２ｂ、操作パネル１等が設けられる（操作パネル１の詳細は後述）。原稿搬送部２ｂは、原稿載置トレイ２１に積載された原稿を１枚ずつ連続的に画像読取部２ａの読取位置（送り読取用コンタクトガラス２２）に向けて搬送する。又、原稿搬送部２ｂは、図１の紙面奥側に設けられた支点（不図示）により、手前側を振るようにして開閉可能である。例えば書籍等の原稿を載置読取用コンタクトガラス２３に載せ、原稿搬送部２ｂを閉じることで原稿を抑えることができる。画像読取部２ａは、送り読取用コンタクトガラス２２を通過する原稿、又は、載置読取用コンタクトガラス２３に載置された原稿を読み取り、画像データを生成する。生成された原稿の画像データは、コピーや送信などに用いられる。
【００１７】
また、複合機１００本体内部に、印刷部３が設けられる。印刷部３は、給紙部３ａ、搬送部３ｂ、画像形成部３ｃ、中間転写部３ｄ、定着部３ｅを含む。
【００１８】
給紙部３ａは、印刷に用いる用紙を収容、供給する。搬送部３ｂは、装置内で用紙を搬送する通路である。画像形成部３ｃは、各色（ブラック、イエロー、シアン、マゼンタ）の画像形成ユニット３１Ｂｋ、３１Ｙ、３１Ｃ、３１Ｍと画像形成ユニット３１Ｂｋ〜３１Ｍのそれぞれに設けられた感光体ドラムを露光する露光装置３２を含む。各画像形成ユニット３１Ｂｋ、３１Ｙ、３１Ｃ、３１Ｍと露光装置３２は、画像データに基づき、各色のトナー像を生成する。中間転写部３ｄは、生成されたトナー像を各画像形成ユニット３１Ｂｋ、３１Ｙ、３１Ｃ、３１Ｍからずれなく重畳しつつ１次転写を受け、給紙部３ａから供給された用紙にトナー像を２次転写する。定着部３ｅは、用紙に転写されたトナー像を定着させる。搬送部３ｂは、定着部３ｅを通過した用紙を排出トレイ３３に排出する。
【００１９】
（操作パネル１）
次に、図２を用いて、実施形態に係る操作パネル１の一例を説明する。図２は、実施形態に係る操作パネル１の一例を示す図である。
【００２０】
操作パネル１は、コピー等の印刷や原稿読取や画像データの送信の設定を行うための表示入力装置として機能する。そして、図１に示すように、複合機１００の正面上方に設けられる。そして、図２に示すように、操作パネル１は、表示部１１を含む。
【００２１】
表示部１１は、液晶表示パネルである。しかし、画面、画像を表示できるものであればよく、有機ＥＬ表示パネルのように、液晶パネル以外の表示パネルを用いてもよい。そして、表示部１１は、設定する設定項目（用いる機能）を選択するため画面や、設定値を設定するための画面を表示する。また、表示部１１は、設定項目の選択、設定値の設定、設定の完了、設定のキャンセル、ジョブの実行指示を行うためのボタン（キー）などの画像を各画面内に表示する。ユーザーは、表示部１１に表示されたボタンに対して操作を行う（ボタンの表示位置をタッチする）ことで、印刷、スキャン、送信など複合機１００で実行できるジョブやシステムに関する設定を行う。
【００２２】
又、表示部１１の上面には、タッチパネル部１２が設けられる。タッチパネル部１２はタッチされた位置、座標を検知するためのものである。尚、タッチパネル部１２には、複数点のタッチを検知できるものが用いられる（例えば、静電容量方式）。
【００２３】
又、操作パネル１には、以下のようなハードキーが設けられる。例えば、数字入力用のテンキー部１３や、各種設定後、コピー等の処理開始指示用のスタートキー１４が設けられる。又、コピー機能を利用する際に押されるコピーキー１５、スキャナ機能、ＦＡＸ機能のような送信機能を利用する際に押される送信キー１６のような機能を選択するためのキーも設けられる。また、部門管理やユーザー管理や通信設定など、複合機１００のシステム的な設定を行うときに押されるシステムメニューキー１７も設けられる。
【００２４】
（複合機１００のハードウェア構成）
次に、図３に基づき、実施形態に係る複合機１００のハードウェア構成を説明する。図３は、実施形態に係る複合機１００のハードウェア構成の一例を示す図である。
【００２５】
複合機１００内には、主制御部４が設けられる。主制御部４は、例えば、操作パネル１、画像読取部２ａ、原稿搬送部２ｂ、印刷部３（給紙部３ａ、搬送部３ｂ、画像形成部３ｃ、定着部３ｅ）などの制御を行う。
【００２６】
主制御部４は、例えば、ＣＰＵ４１等の処理、演算を行う素子を含む。ＣＰＵ４１は、記憶部４２に格納され、展開される制御プログラムに基づき演算等を行い、複合機１００の各部を制御する。尚、全体制御や画像処理を行う制御部と、画像形成や各種回転体を回転させるモータ等のＯＮ／ＯＦＦ等を行い、印刷を制御するエンジン制御部とを分割するなど、主制御部４は、機能ごとに分割されてもよい。
【００２７】
記憶部４２は、主制御部４と通信可能に接続される。記憶部４２は、ＲＯＭ、ＲＡＭ、ＨＤＤ等の不揮発性と揮発性の記憶装置を組み合わせて構成される。記憶部４２は、複合機１００の制御用プログラム、制御用データ、設定データ、画像データ等の各種データを記憶できる。
【００２８】
そして、主制御部４は、各種コネクタ、ソケットやＦＡＸモデム等を備えた通信部４３（通信インターフェイス）と通信可能に接続される。通信部４３はネットワークや公衆回線等により、複数の外部のコンピューター２００（例えば、パーソナルコンピューターやサーバー）やＦＡＸ装置３００（図３では、いずれも便宜上１つのみ図示）と通信可能に接続される。例えば、通信部４３を用いて、画像読取部２ａでの原稿読み取りで得られた画像データをコンピューター２００や相手方ＦＡＸ装置３００に送信することができる（スキャナ機能、ＦＡＸ機能）。又、通信部４３を用いて、コンピューター２００や相手方ＦＡＸ装置３００から送信され、複合機１００に入力される画像データに基づき印刷等を行うこともできる（プリンター機能、ＦＡＸ機能）。
【００２９】
又、例えば、主制御部４には、画像読取部２ａで原稿を読み取って得られた画像データや通信部４３を介して複合機１００に入力された画像データに対し、画像処理を施す画像処理部４４が設けられる。画像処理部４４が処理した画像データは、画像形成部３ｃに送信され印刷に用いられたり、記憶部４２に記憶されたり、通信部４３からコンピューター２００等に送信される。
【００３０】
又、主制御部４は、操作パネル１と通信可能に接続される。主制御部４は、操作パネル１になされた入力内容、設定内容を示す信号を操作パネル１から受信し、ユーザーの設定にあわせてコピーや送信のようなジョブが行われるように印刷部３、原稿搬送部２ｂ、画像読取部２ａ、通信部４３、記憶部４２などを制御する。
【００３１】
次に、本実施形態の操作パネル１について説明する。操作パネル１は、パネル制御部１０、メモリー１８、表示部１１、タッチパネル部１２、テンキー部１３、スタートキー１４、コピーキー１５、送信キー１６、システムメニューキー１７などを含む。
【００３２】
パネル制御部１０は、ＣＰＵやＩＣや表示部１１のパネルのドライバ回路などを含む。パネル制御部１０は、表示部１１の表示を制御する。又、パネル制御部１０は、タッチパネル部１２の出力を受け、表示部１１（タッチパネル部１２）で押された（タッチされた）位置の座標を認識する。タッチパネル部１２の出力と座標の対応を示すテーブル等のデータは、メモリー１８に記憶される。パネル制御部１０は、押された位置の座標と、表示部１１に表示されている画面の画像データを比較して、画面上で操作された（押された）ボタンを特定、認識する。又、パネル制御部１０は、ハードキーからの信号を受け、いずれのハードキーが押されたかを認識する。
【００３３】
また、メモリー１８には、タッチパネル部１２に対する操作（各画面に配されるボタンへの操作）や、ハードキーへの操作に応じて、各画面を表示するため画面用データＤ１が記憶される。画面用データＤ１は、画面ごとに、画面の背景データや、枠組みの画像データや、画面に表示するボタンやメッセージ、説明文などのデータ（画像データやテキストデータや表示位置の定義データ）など、表示に要する各種データを含む。パネル制御部１０は、操作に応じ、画面データのうち、次に表示する画面の表示に要するデータを読み出し、表示部１１に画面を切り替えさせる。
【００３４】
（画面表示の階層構造）
次に、図４を用いて、本実施形態に係る操作パネル１での画面表示の階層構造について説明する。図４は、実施形態に係る操作パネル１の画面表示の階層構造の一例を示す図である。
【００３５】
本実施形態の操作パネル１では、画面表示は階層的な構造となっている。システムメニューキー１７、コピーキー１５、送信キー１６などのキーを押すと、機能ごとにそれぞれ用意されたメインメニュー画面が表示される（図５参照。図５はシステムメニューキー１７に対応するシステム設定に関するメインメニュー画面５１）。例えば、コピーはコピー、送信は送信、システム設定はシステム設定のメインメニュー画面が用意される。各メインメニュー画面は、図４での第１階層（最上位階層）に相当する。
【００３６】
パネル制御部１０は、画面に表示されたボタンが操作されると、上位階層の画面から操作されたボタンに対応する下位階層の画面を表示部１１に表示させる。また、画面内には、例えば、戻るボタンＢ１４のような、上位階層に戻るためのボタンが配される。パネル制御部１０は、上位階層に戻るためのボタンが操作されると、現在表示している画面に対しひとつ上の階層の画面を表示部１１に表示させる。
【００３７】
そして、図４において、目印として枠で囲った画面（画面Ｃ３、画面Ｄ２、画面Ｅ２〜Ｅ４など）は、遷移の経路上の最下位の階層である。言い換えると、目印として枠で囲った画面は、その経路では、更に下位の階層がなく終点の画面にあたる。最下位の階層の画面は、例えば、設定値を選ぶなどして、設定を行うための画面である。図４に示すように、設定値を設定するための画面は同じ階層とは限らず、最下位の階層が何階層目に当たるかは、経路により異なる。そのため、設定値を設定するための画面の種類により、その画面に到達するまでにボタンを操作する回数が異なる。
【００３８】
このような階層構造を有しているので、ユーザーは、目的とする画面に到達するには、第１階層（最上位の階層）から目的とする画面（所望の画面）に到るまでの経路を辿るように、ボタンを複数回操作する。
【００３９】
（通常の画面切り替え操作）
本実施形態の操作パネル１では、一覧表示モードとし、表示部１１に一覧表示を行わせることができる。しかし、後の説明の必要上、及び、表示での階層構造を説明するため、まず、図５〜図１４を用いて、通常の（通常モードでの）画面切り替え操作を説明する。図５〜図１４は、実施形態に係る操作パネル１で表示される画面の一例を示す図である。
【００４０】
本説明では、複合機１００のシステムに関する設定を行う場合を例に挙げて説明する。具体的に、操作パネル１でシステムメニューキー１７（図２参照）を押して、ユーザー管理に関する設定を行う場合について説明する。他の設定（経路）についても同様であるが、説明を割愛する。
【００４１】
図５は、システムメニューキー１７を押すと表示されるメインメニュー画面５１の一例を示す。パネル制御部１０は、システムメニューキー１７が押されると、メインメニュー画面５１を表示部１１に表示させる。メインメニュー画面５１は、システムの設定に関する画面のうち、最上位階層の画面である。
【００４２】
本説明では、システムメニューキー１７（図２参照）を押して、複合機１００のシステムに関する設定を行う場合を例に挙げて説明する。具体的に、操作パネル１でユーザー管理に関する設定を行う場合について説明する。
【００４３】
図５は、システムメニューキー１７を押すと表示されるメインメニュー画面５１の一例を示す。システムメニューキー１７が押されたとき、パネル制御部１０は、メインメニュー画面５１を表示部１１に表示させる。メインメニュー画面５１は、システムの設定に関する画面のうち、最上位階層の画面である。そして、通常モードでは、ユーザーは、目的の画面に到達するようにボタンへの操作を繰り返す。具体的に、通常モードでは、パネル制御部１０は、ユーザー管理ボタンＢ１の操作（表示位置へのタッチ）がなされ、一覧表示モード（詳細は後述）で表示を行うための第１操作（長押し）がなされることなく、指を離す操作がなされると、表示部１１に画面を切り替えさせる。
【００４４】
メインメニュー画面５１には、複数のボタンが配される。メインメニュー画面５１に配されるボタンは、設定項目の大きな分類を示す。ユーザー管理に関する設定を行うとき、ユーザーは、ユーザー管理ボタンＢ１（「ユーザー管理」の文字列を含むボタン）を操作する（表示位置をタッチする。以下、同様。）。尚、メインメニュー画面５１内のユーザー管理ボタンＢ１以外のボタンを操作すると、対応する画面（例えば、宛先編集やメンテナンスなど多様なシステム設定に関する画面）が表示されるが、詳細については、説明を割愛する。
【００４５】
図６に示すように、ユーザー管理ボタンＢ１が操作されると、パネル制御部１０は、１つ下の階層にあたるユーザー管理画面５２を表示部１１に表示させる。ユーザー管理画面５２には、認証方式ボタンＢ２（「ユーザー管理」の文字列に付随、対応し、「変更」の文字列を含むボタン）と、ユーザーリストボタンＢ３（「ローカルユーザーリスト」の文字列に付随、対応し、「登録・編集」の文字列を含むボタン）と、ローカル認可ボタンＢ４（「ローカル認可」の文字列に付随、対応し、「変更」の文字列を含むボタン）と、ゲスト認可ボタンＢ５（「ゲスト認可設定」の文字列に付随、対応し、「変更」の文字列を含むボタン）が表示される。
【００４６】
認証方式ボタンＢ２は、ローカル認証（複合機１００に記憶されたユーザー情報に基づく認証）を行うか、ネットワーク認証（ネットワーク経由でサーバーに記憶されたユーザー情報に基づく認証）を行うかを設定するための画面を表示させるボタンである。ユーザーリストボタンＢ３は、複合機１００の使用許可を与えるユーザーを登録、編集するためのボタンである。ローカル認可ボタンＢ４は、ユーザー単位で、使用できる機能（例えば、コピーやスキャンや送信などの機能）を制限、解除するための画面を表示させるボタンである。ゲスト認可ボタンＢ５は、本来、複合機１００やサーバーにユーザーとして登録されていないため、認証を受けられず複合機１００を使用できない者（ゲスト）に対する設定を行うための画面を表示させるためのボタンである。
【００４７】
ユーザー管理画面５２でゲスト認可ボタンＢ５が操作されると、図７に示すように、パネル制御部１０は、１つ下の階層にあたるゲスト認可設定画面５３を表示部１１に表示させる。尚、ユーザー管理画面５２で、ゲスト認可ボタンＢ５以外のボタンが押されると対応する画面か表示されるが、詳細については、説明を割愛する。
【００４８】
ゲスト認可設定画面５３には、ゲスト認可可否ボタンＢ６（「ゲスト認可」の文字列に付随、対応し、「変更」の文字列を含むボタン）と、ゲストプロパティボタンＢ７（「ゲストプロパティ」の文字列に付随、対応し、「変更」の文字列を含むボタン）が表示される。ゲスト認可可否ボタンＢ６は、ゲスト（複合機１００に登録されていないユーザー）に一時的に複合機１００の臨時の使用を認めるか否かを設定するための画面を表示させるボタンである。ゲストプロパティボタンＢ７は、ゲストの情報（ゲストのプロパティ）を設定するための画面を表示させるボタンである。
【００４９】
ゲスト認可設定画面５３でゲストプロパティボタンＢ７が操作されると、図８に示すように、パネル制御部１０は、１つ下の階層にあたるゲストプロパティ設定画面５４を表示部１１に表示させる。尚、ゲスト認可設定画面５３で、ゲストプロパティボタンＢ７以外のボタンが押されたとき、対応する画面か表示されるが、詳細については、説明を割愛する。
【００５０】
ゲストプロパティ設定画面５４には、ゲストをユーザーと扱う場合における情報を設定するためのボタンが計７個配される。ゲストプロパティ設定画面５４に配された何れかのボタンをタッチすることで、図８に示すように、ユーザー名（＝ゲスト名）、ゲストとしてログインするためのログイン名、ゲストとしてログインするためのパスワードなどを設定することができる。文字列の入力の必要な設定項目（例えば、ユーザー名＝ゲスト名など）に対応するボタンが操作されると、パネル制御部１０は、文字列入力用のソフトウェアキーボード（不図示）を表示させる。また、ゲストプロパティ設定画面５４に配されるボタンのうち、認可情報ボタンＢ８（「認可情報」の文字列に付随、対応し、「変更」の文字列を含むボタン）は、複合機１００の機能（コピーや送信など）のうち、ゲストが利用できる機能の制限や、ゲストが利用できる機能を変更するための画面を表示させるボタンである。
【００５１】
ゲストプロパティ設定画面５４で認可情報ボタンＢ８が操作されると、図９に示すように、パネル制御部１０は、１つ下の階層にあたる使用制限設定画面５５を表示部１１に表示させる。尚、ゲストプロパティ設定画面５４で、認可情報ボタンＢ８以外のボタンが押されたとき、対応する画面か表示されるが、詳細については、説明を割愛する。
【００５２】
使用制限設定画面５５には、ゲストが使用できる機能を制限するためのボタンが計９個配される。使用制限設定画面５５に配されたボタンを操作して、ユーザーがゲストであるときに使用できる機能を定めることができる。
【００５３】
例えば、印刷に関し、ゲストが、複合機１００をコピー機や、プリンターとして利用できるか否かを設定できる。また、コピーやプリントでは、ゲストが、カラー印刷できるか否かを設定できる。また、送信に関し、ゲストが、画像読取部２ａが読み取った画像データを、外部メモリー（例えば、複合機１００に接続したＵＳＢメモリーやメモリーカード）や記憶部４２に記憶させることを認めるか否かの設定や、ネットワークやＦＡＸによる送信を認めるか否かの設定を行うことができる。そして、使用制限設定画面５５に配されるボタンのうち、送信制限ボタンＢ９（「送信制限」の文字列に付随、対応し、「変更」の文字列を含むボタン）は、ゲストが、複合機１００の機能のうち、ネットワークのコンピューター２００や記憶装置に、画像データを送信（ファクシミリ送信を除く）する機能を利用できるか否かを設定するための画面を表示させるボタンである。
【００５４】
使用制限設定画面５５で送信制限ボタンＢ９が操作されると、図１０に示すように、パネル制御部１０は、１つ下の階層にあたる送信制限設定画面５６を表示部１１に表示させる。尚、使用制限設定画面５５で、送信制限ボタンＢ９以外のボタンが押されたとき、操作されたボタンに対応する画面が表示されるが、詳細については、説明を割愛する。
【００５５】
送信制限設定画面５６は、設定値を設定するための画面であり、階層的に最下層の画面である（これより下の階層はない）。送信制限設定画面５６では、「ゲストに送信を認める」という設定値と、「ゲストに送信を認めない」という設定値のうち、何れかを選択することができる。
【００５６】
具体的に、送信制限設定画面５６には、送信制限を実行させるための制限実行ボタンＢ１０（「設定する」の文字列を含むボタン）と、送信制限をかけないようにするための制限不実行ボタンＢ１１（「設定しない」の文字列を含むボタン）が表示される。パネル制御部１０は、制限実行ボタンＢ１０が操作され、ＯＫボタンＢ１２（「ＯＫ」の文字列を含むボタン）が操作されると、送信制限を行う設定がなされたと認識する。パネル制御部１０は、主制御部４に設定内容を伝達する。その結果、主制御部４は、通信部４３を制御し、ゲストに画像データを複合機１００から送信できなくする。あるいは、パネル制御部１０は、ゲストによる送信実行指示を受け付けず、無視する。一方、パネル制御部１０は、制限不実行ボタンＢ１１が操作され、ＯＫボタンＢ１２が操作されると、送信制限を行わない設定がなされたと認識する。この場合、パネル制御部１０はゲストになされた送信に関する設定内容を主制御部４に伝達し、主制御部４は、伝達された設定内容に即した送信ジョブが実行されるように、通信部４３や画像読取部２ａを制御する。
【００５７】
ここで、最下位の階層の画面（設定値を設定する画面）には、ＯＫボタンＢ１２が配される。言い換えると、図１０の画面以外の画面でも、設定値を設定する画面には、ＯＫボタンＢ１２が配される場合がある。ＯＫボタンＢ１２に対する操作がなされ、設定値の設定が完了すると、パネル制御部１０は、画面を最上位階層の画面に切り替える（基本画面、メインメニュー画面に戻す）。
【００５８】
また、各画面には、設定をキャンセルするためのキャンセルボタンＢ１３（「キャンセル」の文字列を含むボタン）も配される。キャンセルボタンＢ１３に対する操作がなされると、パネル制御部１０は、現在の設定値を変更せず、また、画面を最上位階層の画面（メインメニュー画面）を表示部１１に表示させる。また、最上位階層以外の画面には、戻るボタンＢ１４（「戻る」の文字列を含むボタン）が配される。戻るボタンＢ１４に対する操作がなされると、パネル制御部１０は、画面を現在の画面からひとつ上の階層の画面を表示部１１に表示させる（経路を戻らせる）。
【００５９】
このように、表示部１１は、画面内にボタンを表示し、表示部１１に表示されたボタンに対する操作を受け付けるためのタッチパネル部１２の出力に基づき、表示中の画面から下位階層の画面と、上位階層の画面の何れか一方に、表示する画面を切り替える。
【００６０】
また、後の説明の必要上、上述のユーザー管理画面５２（図６参照）で、ユーザーリストボタンＢ３（「ローカルユーザーリスト」の文字列に付随、対応し、「登録・編集」の文字列を含むボタン）を操作したときに表示される画面（ユーザーリストボタンＢ３を操作したときの経路の各画面）について説明する。
【００６１】
ユーザー管理画面５２でユーザーリストボタンＢ３が操作されると、図１１に示すように、パネル制御部１０は、１つ下の階層にあたる登録・編集画面５７を表示部１１に表示させる。登録・編集画面５７は、ユーザーの登録や、登録内容の変更を行うための画面である。
【００６２】
登録・編集画面５７には、新規登録ボタンＢ１５（「新規登録」の文字列に付随、対応し、「登録」の文字列を含むボタン）と、編集ボタンＢ１６（「編集」の文字列に付随、対応し、「編集」の文字列を含むボタン）が表示される。新規登録ボタンＢ１５は、複合機１００を使用可能な者（ユーザー）を複合機１００（記憶部４２）に新たに登録するための画面を表示させるボタンである。編集ボタンＢ１６は、使用可能な者として既に複合機１００（記憶部４２）に記憶されているユーザーの情報（ユーザーのプロパティ）を編集（変更、修正）するための画面を表示させるボタンである。
【００６３】
登録・編集画面５７で編集ボタンＢ１６が操作されると、図１２に示すように、パネル制御部１０は、１つ下の階層にあたるユーザープロパティ設定画面５８を表示部１１に表示させる。尚、登録・編集画面５７で、新規登録ボタンＢ１５のボタンが押されたときにも、ユーザープロパティ設定画面５８が表示されるが、全ての項目について設定されていない状態のユーザープロパティ設定画面５８が表示される。
【００６４】
ユーザープロパティ設定画面５８には、すでに登録されているユーザーの情報が項目ごとに表示される。また、ユーザープロパティ設定画面５８には、ユーザーの情報を設定するためのボタンが計９個配される。ユーザープロパティ設定画面５８に配された何れかのボタンをタッチすることで、図１２に示すように、ユーザー名、ログインするためのログイン名、ユーザーがログインするためのパスワードなどを設定、変更することができる。文字列の入力の必要な設定項目（例えば、ユーザー名など）に対応するボタンが操作されると、パネル制御部１０は、文字列入力用のソフトウェアキーボード（不図示）を表示させる。また、ユーザープロパティ設定画面５８に配されるボタンのうち、マイパネルボタンＢ１７（「マイパネル」の文字列に付随、対応し、「変更」の文字列を含むボタン）は、ユーザーがログインしたとき、画面をどのように表示するかを設定するための画面を表示させるボタンである。
【００６５】
尚、ユーザーは、複合機１００を利用するとき、ログインする必要がある。ログインをするには、操作パネル１に対して予め登録してあるユーザー名や、ログイン名や、パスワードを入力する。メモリー１８は、ユーザープロパティ設定画面５８での各ユーザーの情報を記憶している。そして、パネル制御部１０は、メモリー１８内の各ユーザーの情報と、入力された情報を照合し、一致しているユーザーのログインを認め（ユーザーを認証し）、ユーザーの各種操作を受け付ける。一方、パネル制御部１０は、入力された情報が予め登録されているユーザー情報と一致していないとき、ログインを認めず（ログアウト状態を保ち）、ユーザーの各種操作を受け付けない。その結果、ログアウト状態では、ジョブの実行指示や各種設定入力は受け付けられず、ログインしない限り、複合機１００を用いることができない。
【００６６】
ユーザープロパティ設定画面５８でマイパネルボタンＢ１７が操作されると、図１３に示すように、パネル制御部１０は、１つ下の階層にあたるマイパネル設定画面５９を表示部１１に表示させる。尚、ユーザープロパティ設定画面５８で、マイパネルボタンＢ１７以外のボタンが押されたとき、対応する画面か表示されるが、詳細については、説明を割愛する。
【００６７】
マイパネル設定画面５９には、初期画面ボタンＢ１８（「初期画面」の文字列に付随、対応し、「初期画面」の文字列を含むボタン）と、言語ボタンＢ１９（「言語」の文字列に付随、対応し、「言語」の文字列を含むボタン）が表示される。初期画面ボタンＢ１８は、ログインしたとき、最初にどのような画面を表示させるか（初期画面を何の画面にするか）設定するための画面を表示させるボタンである。例えば、ログインしたとき、デフォルトとは異なる特定の画面を最初に表示させる設定を行うことができる。言語ボタンＢ１９は、ログインしたとき、画面内で使用される言語を設定するための画面を表示させるボタンである。
【００６８】
マイパネル設定画面５９で言語ボタンＢ１９が操作されると、図１４に示すように、パネル制御部１０は、１つ下の階層にあたる言語設定画面５１０を表示部１１に表示させる。尚、言語設定画面５１０は、最下層の画面である。尚、マイパネル設定画面５９で、初期画面ボタンＢ１８が押されたとき、対応する画面か表示されるが、詳細については、説明を割愛する。
【００６９】
言語設定画面５１０には、画面内に表示される文字列に用いることができる言語を選択するためのボタンが計８個配される。図１４に示すように、本実施形態の複合機１００では、日本語や英語など、複数の言語に対応している。このように、言語設定画面５１０に配されたボタンを操作して、母国語など、自己のログイン時に表示に用いる言語を選択することができる。
【００７０】
言語設定画面５１０の何れかのボタンの表示位置をタッチした後、ＯＫボタンＢ１２（「ＯＫ」の文字列を含むボタン）が操作されると、パネル制御部１０は、操作されたボタンに対応する言語を用いる設定がなされたと認識する。そして、パネル制御部１０は、ユーザーごとに、各ユーザーが用いるとして言語設定画面５１０で設定された言語をメモリー１８に記憶させる。そして、パネル制御部１０は、記憶内容に基づき、ユーザーが選択した言語を用いた画面を表示部１１に表示させる。
【００７１】
（一覧表示モードでの表示の概要）
次に、図５、図１５、図１６を用いて、本実施形態の操作パネル１での一覧表示モードの概要を説明する。図１５は、実施形態に係る操作パネル１での一覧表示の一例を示す図である。図１６は、実施形態に係る操作パネル１の一覧表示モードでの経路設定の一例を示す図である。
【００７２】
タッチパネル部１２は、一覧表示を行う指示（一覧表示モードに移行する指示）として予め定められた第１操作を受け付ける。タッチパネル部１２が第１操作を受け付けたとき、パネル制御部１０は、表示部１１のモードを一覧表示モードとする。言い換えると、第１操作がタッチパネル部１２で受け付けられると、パネル制御部１０は、一覧表示モードでの表示を表示部１１に開始させる。
【００７３】
そして、図１５に示すように、一覧表示モードでは、パネル制御部１０は、第１操作がなされた画面の１つ下の階層の画面（第１操作がなされたボタンを操作すると表示される画面）から下位階層に向けて１つずつ階層を降りていくように各階層の画面を選択する。そして、パネル制御部１０は、選択した各階層の画面（複数階層にわたる画面）を、通常モードのときよりも縮小して表示部１１に一覧表示させる。この一覧表示のとき、パネル制御部１０は、予め定められた画面数以下の画面を選択し、選択したそれらの画面の縮小画面を表示部１１に表示させる。また、パネル制御部１０は、一覧表示のとき、上位階層の画面から順に表示部１１に表示させる。
【００７４】
尚、詳細は後述するが、予め定められた一覧表示モードを終了させるための終了操作により、一覧表示モードを終了させ、通常モードに戻ることができる。
【００７５】
ここで、第１操作について説明する。本実施形態のタッチパネル部１２は、通常モードの状態で、画面内に表示された何れかのボタンの表示位置を長押しする操作を第１操作として受け付ける。そして、パネル制御部１０は、通常モードで、何れかのボタンに対する長押し操作を、一覧表示を行う指示入力（一覧表示モードへの移行指示）と認識する。
【００７６】
具体的に、パネル制御部１０は、タッチパネル部１２の出力に基づき、ボタンの表示位置がタッチされてから、予め定められた長押し時間（例えば、０．５〜数秒程度）継続して、同じボタンの表示領域内がタッチされ続けているとき、長押し（第１操作）がなされたと認識する。この認識をトリガーとして、パネル制御部１０は、一覧表示を表示部１１に行わせる。
【００７７】
尚、長押しを続けていると、長押し位置からタッチ位置がずれてしまうことがある。また、手のけがなどや、先天的に、同じ位置を押し続けることが難しいユーザーもいる。そこで、パネル制御部１０は、タッチパネル部１２の出力に基づいてタッチ位置がずれたと認識しても、ずれた距離が予め定められた許容範囲であれば、タッチ（第１操作）が続けられていると認識するようにしてもよい。
【００７８】
具体的に、図５、図１５を用いて説明する。図１５は、図５に示すメインメニュー画面５１で、ユーザー管理ボタンＢ１に対して第１操作を行うと表示される画面の一覧の一例を示す。
【００７９】
この場合、パネル制御部１０は、一覧表示する画面として、ユーザー管理ボタンＢ１に対応する画面（通常モードでボタンを操作すると表示する画面）であるユーザー管理画面５２を最初に選択する。更に、最初に選択した画面から１つずつ階層を降りていくように各階層の画面を選択する。例えば、図１５に示すように、パネル制御部１０は、上位の階層から順に、ユーザー管理画面５２よりも１つ下の階層のゲスト認可設定画面５３（図７参照）と、ゲスト認可設定画面５３よりも１つ下の階層のゲストプロパティ設定画面５４（図８参照）と、ゲストプロパティ設定画面５４よりも１つ下の階層の使用制限設定画面５５（図９参照）を選択する。
【００８０】
ここで、一覧表示モードで表示される画面数（パネル制御部１０が選択する画面数、予め定められた画面数）は、本実施形態の操作パネル１では、４画面とされる。そのため、経路的に、使用制限設定画面５５（図９参照）よりも下の階層の画面が存在するが、パネル制御部１０が選択するのは、４画面までであり、４つの画面を縮小して表示部１１に一覧表示させる。
【００８１】
ここで、予め定められた画面数は、表示部１１のサイズ（インチ数）や、解像度や、縮小画面の見やすさなどを考慮して適宜定めればよい。そのため、予め定められた画面数は、６でもよいし、８でもよいし、４よりも少なくてもよい（但し、一覧表示するので２以上）。そして、パネル制御部１０は、表示領域を予め定められた画面数で分割し、分割した領域内に選択した各階層の画面がそれぞれ収まるように、通常モードで表示される画面を縮小して、選択した各階層の画面を表示部１１に表示させる。
【００８２】
尚、階層的に、第１操作がなされた画面よりも下の階層の階層数が、予め定められた画面数よりも少ないとき、パネル制御部１０は、第１操作がなされた画面に対応する画面と、最下層までの経路（過程）に存在する画面を選択し、表示部１１に一覧表示させ、空いたスペースは空白として表示部１１に表示させる。
【００８３】
このように、タッチパネル部１２は、通常モードで、画面内に表示された何れかのボタンを長押しする操作を第１操作として受け付ける。そして、一覧表示モードとなったとき、パネル制御部１０は、第１操作がなされたボタンに対応する画面を１階層目の画面とし、１階層目の画面から下位階層に向けて１つずつ階層を降りていくように選択される各階層の画面を表示部１１に一覧表示させる。
【００８４】
ここで、一覧表示される各画面の階層は異なるところ、各縮小画面の配列順は、階層に着目して定められる。このように、パネル制御部１０は、上位階層の画面から順に、予め定められた順番で選択した画面（一定の経路上の画面）を表示部１１に一覧表示させる。言い換えると、パネル制御部１０は、一覧表示モードでは、階層的に予め定められた配列順で、縮小された画面を表示部１１に一覧表示させる。
【００８５】
図１５に示すように、本実施形態の操作パネル１では、上位階層の画面から順にＺの文字の順番で縮小画面が配列される。具体的に、パネル制御部１０は、左上の位置に選択した画面のうち最上位の階層の画面（ユーザー管理画面５２）の縮小画面を表示部１１に表示させ、右上の位置に選択した画面のうち２番目に上位の階層の画面（ゲスト認可設定画面５３）の縮小画面を表示部１１に表示させ、左上の位置に選択した画面のうち３番目に上位の階層の画面（ゲストプロパティ設定画面５４）の縮小画面を表示部１１に表示させ、右下の位置に選択した画面のうち４番目に上位の階層（最下位の階層）の画面（使用制限設定画面５５）の縮小画面を表示部１１に表示させる。
【００８６】
ここで、一覧表示モードでは、パネル制御部１０は、第１操作がなされたボタンに対応する画面が一覧表示を行ううえでの最上位階層の画面と定める。そして、パネル制御部１０は、下位階層に向けて１つずつ階層を降りていくように各階層の画面を選択する。このとき、どのような経路を辿って下位階層に向けて、各階層の画面を選択していくかを定める必要がある。言い換えると、自動的に経路を定め、下位階層に向けて１つずつ階層を選択するとき、画面内の何れのボタンが操作されたときに表示される画面を選択してゆくかを定める必要がある。
【００８７】
ここで、以下のように、一覧表示する画面を選択するうえでの辿る経路を定めることができる。例えば、パネル制御部１０は、第１操作がなされたボタンに対して予め定められた経路で１つずつ階層を降りていく過程の画面を選択し、選択した画面を縮小して表示部１１に一覧表示させるようにしてもよい。この場合、メモリー１８に、画面内に配されるボタン単位で、一覧表示モードでどのボタンに対し操作をおこなうと、どのような経路で画面が選択されるかを定義した経路データＤ２（図３参照）が記憶される。
【００８８】
また、パネル制御部１０は、第１操作がなされたボタンに対応する画面、及び、選択された画面内に配されたボタンのうち、画面内のうち予め定められた位置のボタンに対する操作を行ったものとして１つずつ階層を降りていく過程の画面を選択し、選択した画面を縮小して表示部１１に一覧表示させるようにしてもよい。この場合、メモリー１８に、画面内に配されるボタンのうち、どの位置のボタンを操作したと扱うかを定義した経路データＤ２（図３参照）が記憶される。尚、図１５は、選択した各階層の画面中に配されたボタンのうち、最も右下位置（右側かつ下側）に位置するボタンが操作されたときに表示される画面を次に選択して経路を定める例を示している。
【００８９】
また、パネル制御部１０は、第１操作がなされたボタンに対応する画面から階層的に最も深い画面に到るように（階層的に最も深い階層の画面に向けて）、１つずつ階層を降りていく過程（経路）の画面を一覧表示する。言い換えると、第１操作がなされたボタンを操作した後に辿り着ける最下層の画面のうち、第１操作がなされたボタンに対応する画面から最も階層的に遠い（離れている階層数が多い）画面に向かうように、経路を定めるようにしてもよい。この場合、ボタンごとに、階層的に最も深い階層の画面に到ることができる経路を定めたデータが経路データＤ２としてメモリー１８に記憶される（図３参照）。
【００９０】
上記の何れかの手法により、一覧表示する画面を各階層につき１つ選択するようにすればよい。しかし、図１６に示すように、自動的な一覧表示する画面の選択において、辿る経路を予め設定できるようにしてもよい。
【００９１】
図１６は、一覧表示モードで一覧表示を行う上で、選択する画面の階層的な経路の設定に関する一覧表示設定画面５１１の一例を示す。一覧表示設定画面５１１は、操作パネル１に対して所定の操作を行うことにより表示させることができる。
【００９２】
そして、一覧表示設定画面５１１には、第１ボタンＢ２０（「定められた経路」の文字列を含むボタン）、第２ボタンＢ２１（「ボタン位置を基準」の文字列を含むボタン）、第３ボタンＢ２２（「最下位階層」の文字列を含むボタン）が設けられる。また、第２ボタンＢ２１に対し、４つのチェックボックスＣ１、Ｃ２、Ｃ３、Ｃ４が付される。
【００９３】
第１ボタンＢ２０は、パネル制御部１０に、第１操作がなされたボタンに対し、予め定められた経路を辿るように、下位階層に向けて１つずつ降りていき、各階層で１つの画面を選択させるときに操作される。第３ボタンＢ２２は、パネル制御部１０に、階層的に最も深く、下位の画面に向けて、下位階層に向けて１つずつ降りていき、各階層で１つの画面を選択させるときに操作される。
【００９４】
また、第２ボタンＢ２１は、パネル制御部１０に、画面中に配されたボタンのうち、予め定められた位置のボタンが操作されたものとして、下位階層に向けて１つずつ降りていき、各階層で１つの画面を選択させるときに操作される。尚、チェックボックスＣ１〜Ｃ４によりボタンの位置を選択することができる。
【００９５】
尚、図１５に示すように、パネル制御部１０は、どのボタンを押したときに表示される画面が選択されているか（表示されている縮小画面は、１つ上の階層の画面のうち、どのボタンを操作したときに表示される画面か）を示すカーソルＣ５を表示部１１に表示させてもよい。言い換えると、パネル制御部１０は、一覧表示モードにおいて、操作されたものとして扱うボタンをカーソルＣ５によって表示部１１に強調表示させてもよい。尚、図１５の例では、楕円図形をカーソルＣ５として示しているが、矢印、○印、記号、文字など他の画像をカーソルＣ５として表示するようにしてもよい。
【００９６】
（指定操作による一覧表示している画面の切替）
次に、図１５〜図１９を用いて、本実施形態の操作パネル１での指定操作による一覧表示している画面の切替について説明する。図１７〜図１９は、本実施形態の操作パネル１での指定操作による一覧表示している画面の切替の一例を示す図である。
【００９７】
本実施形態の操作パネル１では、第１操作がなされた画面に関連付けられた画面と、この画面から１つずつ階層を下る経路上の画面を含む複数の画面を、通常モードよりも縮小して、一覧表示することができる。
【００９８】
そして、第１操作によって一覧表示された状態で、何れかの画面（縮小画面）に配されたボタンに対して操作（指定操作）を行うことにより、別の経路の画面を一覧表示させることができる。言い換えると、指定操作を行うことにより、階層の途中で他の設定項目（ボタン）を選択したときに表示される画面（現在表示中の経路とは異なる経路の画面）を一覧表示させることができる。
【００９９】
具体的に、タッチパネル部１２は、一覧表示モードで一覧表示された何れかの画面に含まれるボタンに対する操作を指定操作として受け付ける。第１操作から少なくとも１点のタッチパネル部１２へのタッチの継続を一覧表示モードの維持条件とするとき、タッチパネル部１２は、少なくとも１点はタッチパネル部１２へのタッチを続けつつ、一覧表示された画面のうち、何れかのボタンの表示位置をもう一点タッチする操作を指定操作として受け付ける。
【０１００】
また、第１操作の後、タッチパネル部１２へのタッチが無くなっても一覧表示モードを維持するようにするとき、タッチパネル部１２は、一覧表示された画面のうち、何れかのボタンの表示位置を一点タッチする操作を指定操作として受け付ける。
【０１０１】
そして、パネル制御部１０は、タッチパネル部１２の出力に基づき、一覧表示モードで指定操作がなされたことを認識する。この認識をトリガーとして、パネル制御部１０は、一覧表示する画面を表示部１１に切替させる。
【０１０２】
〈第１表示切り替えパターン〉
具体的に、パネル制御部１０は、指定操作がなされたとき、指定操作がなされた画面以上、階層的に上位の画面の縮小画面をそのまま表示し、指定操作がなされた画面よりも階層的に下位の画面の縮小画面に代えて、指定操作がなされたボタンに対応する画面の縮小画面を表示部１１に表示させるようにしてもよい。また、指定操作がなされたとき、パネル制御部１０は、指定操作がなされた縮小画面よりも階層的に下位の全ての画面に代えて、指定操作がなされたボタンに対応する画面と、対応する画面から下位階層に向けて１つずつ階層を降りていくように選択される各階層の画面との縮小画面を表示部１１に一覧表示させるようにしてもよい。
【０１０３】
この場合の一覧表示される画面の切替を図１５、図１７を用いて説明する。図１５は、ユーザー管理画面５２（１階層目）、ゲスト認可設定画面５３（２階層目）、ゲストプロパティ設定画面５４（３階層目）、使用制限設定画面５５（４階層目）の４つの画面が縮小されて一覧表示されている状態を示す。言い換えると、通常モードで、ユーザー管理画面５２から最下位の階層の送信制限設定画面５６まで１つずつ階層を降りていくときに表示させる画面のうち、上位４つの画面を縮小して一覧表示した状態を示している。
【０１０４】
そして、図１５では、ユーザー管理画面５２（１階層目）の縮小画面のうち、ユーザーリストボタンＢ３（「ローカルユーザーリスト」の文字列に付随、対応し、「登録・編集」の文字列を含むボタン）に対し指定操作がなされたことを示している（図１５では、１の○印付きの指図形により指定操作がなされたことを例示）。
【０１０５】
更に、図１７は、指定操作がなされたことによって、一覧表示された画面のうち、一部が切り替えられた（差し替えられた）ことを示している。この図１７の例では、パネル制御部１０は、指定操作がなされたとき、指定操作がなされた画面以上、階層的に上位の縮小画面（図１７の例では、１階層目のユーザー管理画面５２）については、表示部１１にそのまま表示させる。
【０１０６】
一方で、図１７は、パネル制御部１０が、指定操作がなされた縮小画面よりも階層的に下位の画面（ゲスト認可設定画面５３、ゲストプロパティ設定画面５４、使用制限設定画面５５）の縮小画面に代えて、指定操作がなされたボタンに対応する画面（関連付けられている画面、登録・編集画面５７）の縮小画面を表示部１１に表示させる例を示している。
【０１０７】
更に、図１７では、パネル制御部１０が指定操作がなされた縮小画面よりも階層的に下位の画面に代えて、指定操作がなされたボタンに対応する画面（登録・編集画面５７）と、対応する画面から下位階層に向けて１つずつ階層を降りていくように選択される各階層の画面（ユーザープロパティ設定画面５８、マイパネル設定画面５９）の縮小画面を表示部１１に一覧表示させる例を示している。
【０１０８】
このように、指定操作がなされて一覧表示する画面を切り替える場合でも、パネル制御部１０は、指定操作がなされたボタンに対応する画面と、対応する画面から１つずつ階層を降りていく経路上の画面を選択する。そして、パネル制御部１０は、各階層画面に上位階層の画面から順に、新たに選択した画面の縮小画面を新たに表示部１１に一覧表示させる。尚、上位階層の画面から順に、予め定められた配列で画面を一覧表示する点は、画面の切替がなされる場合でも変わらない。
【０１０９】
〈第２表示切り替えパターン〉
パネル制御部１０は、指定操作がなされたとき、指定操作前に表示されていた縮小画面（の画面）に代えて、指定操作がなされたボタンに対応する画面と、対応する画面から下位階層に向けて１つずつ階層を降りていくように各階層の画面を１つずつ選択し、選択した画面の縮小画面を一覧表示するようにしてもよい。
【０１１０】
この場合の一覧表示される画面の切替を図１５、図１８を用いて説明する。図１８は、先に説明したのと同様に図１５での、ユーザー管理画面５２（１階層目）の縮小画面のうち、ユーザーリストボタンＢ３（「ローカルユーザーリスト」の文字列に付随、対応し、「登録・編集」の文字列を含むボタン）に対し指定操作がなされたことにより全ての縮小画面が切り替える一例を示している。
【０１１１】
第１切替パターンとは異なり、この図１８の例では、パネル制御部１０は、指定操作がなされたとき、指定操作がなされるまで表示されていた全ての縮小画面（ユーザー管理画面５２、ゲスト認可設定画面５３、ゲストプロパティ設定画面５４、使用制限設定画面５５の４画面）が消される。
【０１１２】
一方で、図１８に示すように、パネル制御部１０は、指定操作がなされた画面に対応する画面（関連付けられている画面、登録・編集画面５７）と、対応する画面から下位階層に向けて１つずつ階層を降りていくように選択される各階層の画面（ユーザープロパティ設定画面５８、マイパネル設定画面５９、言語設定画面５１０）の縮小画面を一覧表示させる。
【０１１３】
このように、第２切替パターンでは、パネル制御部１０は、指定操作がなされたボタンに対応する画面と、対応する画面から１つずつ階層を降りていく経路上の画面を選択する。そして、パネル制御部１０は、上位階層の画面から順に、新たに選択した画面の縮小画面を表示部１１に一覧表示させ、表示内容を切り替える。なお、上位階層の画面から順に、予め定められた配列で画面を一覧表示する点は、画面の切替がなされる場合でも変わらない。
【０１１４】
尚、第１切替バターンと第２切替パターンの何れを採用しても、パネル制御部１０は、どのような経路を辿って下位階層に向けて、各階層の画面を選択していくかは、第１操作がなされたときと同様でよい。
【０１１５】
ここで、第１切替バターンと第２切替パターンの何れかの手法により、指定されたボタンに応じて、画面が切り替えられるようにすればよい。しかし、図１６に示すように、一覧表示設定画面５１１（他の設定画面でもよい）で、どのように縮小画像を切り替えるパターンを予め設定できるようにしてもよい。
【０１１６】
そして、一覧表示設定画面５１１には、第４ボタンＢ２３（「一部は切り替えない」の文字列を含むボタン）、第５ボタンＢ２４（「全て切り替える」の文字列を含むボタン）が設けられる。
【０１１７】
第４ボタンＢ２３は、パネル制御部１０に、ボタン（変更経路）を指定するための指定操作がなされたとき、第１切替パターンにより、一覧表示された画面のうち、一部を切り替えさせるときに操作される。第５ボタンＢ２４は、パネル制御部１０に、ボタン（変更経路）を指定するための指定操作がなされたとき、第２切替パターンにより、一覧表示された画面のうち、全てを切り替えさせるときに操作される。
【０１１８】
尚、指定操作によって、縮小画面の切り替え（差し替え）を行って新たな画面が表示されている状態で、更に指定操作を行うことにより、再度の縮小画面の切り替え（差し替え）を行うことができる。言い換えると、縮小画面の切り替え（差し替え）は繰り返すことができる。
【０１１９】
尚、図１５、図１９を用いて現在選択している経路に沿った画面に対応するボタンに対して指定操作がなされた場合について説明しておく。
【０１２０】
図１５では、ゲスト認可設定画面５３（２階層目）の縮小画面のうち、ゲストプロパティボタンＢ７（「ゲストプロパティ」の文字列に付随、対応し、「変更」の文字列を含むボタン）に対し指定操作がなされたことを示している（図１５では、２の○印付きの指図形により指定操作がなされたことを例示）。
【０１２１】
ここで、図１５に示す状態では、ゲスト認可設定画面５３でゲストプロパティボタンＢ７が操作されたときに表示される画面（選択されているゲスト認可設定画面５３の１つ下の階層の画面）であるゲストプロパティ設定画面５４の縮小画面が、既に、一覧表示される画面に含まれている。
【０１２２】
そのため、図１５のように一覧表示している状態で、ゲストプロパティボタンＢ７に対して、指定操作がなされたとき、第１切替パターン（指定操作がなされた画面以上、階層的に上位の画面の縮小画面を表示部１１にそのまま表示する切替パターン）であれば、画面に変化はない。
【０１２３】
そこで、図１９に示すように、一覧表示モードで表示されるボタンのうち、既に表示されている画面に対応するボタンに対して指定操作がなされたとき、第２切替パターンにより、一覧表示された画面のうち、全てを切り替えさせるようにしてもよい。
【０１２４】
（最下層に到達したときの設定値の設定）
次に、図１９を用いて、設定値を設定する画面の縮小画面が一覧表示されたときの設定値の設定について説明する。
【０１２５】
図１９に一覧表示される画面には、最下層の画面（左下の画面）が含まれている。そして、図１９に表示される画面のうち、最下層の画面は、送信制限設定画面５６であって、送信制限を行うか、行わないかを設定値として設定できる画面である。
【０１２６】
ここで、タッチパネル部１２は、一覧表示がなされている状態で（一覧表示モードの状態で）、階層的に最下層の画面であって、設定値を設定する画面の縮小画面が表示されているとき、設定値を設定するための予め定められた設定値設定操作を受け付ける。
【０１２７】
本実施形態の操作パネル１では、設定値を設定するための画面（最下層の画面）の縮小画面に配された、設定値を設定するためのボタンの表示領域をタッチした後、画面内に配されたＯＫボタンＢ１２の表示領域をタッチする操作を設定値設定操作として受け付ける。そして、一覧表示モードで、パネル制御部１０は、タッチパネル部１２の出力に基づき設定値設定操作がなされたと認識したとき、設定値の設定がなされた認識する。そして、パネル制御部１０は、設定された設定値をメモリー１８や記憶部４２に記憶させて、設定を更新する。
【０１２８】
（一覧表示モードの終了）
次に、一覧表示モード（一覧表示）の終了について説明する。
【０１２９】
タッチパネル部１２が予め定められた終了操作を受け付けたとき、パネル制御部１０は、一覧表示モード（一覧表示）を表示部１１に終了させる。
【０１３０】
ここで、終了操作は、適宜定めることができる。例えば、第１操作から少なくとも一点のタッチの維持を一覧表示モードの維持の条件とするとき、本実施形態の操作パネル１では、タッチパネル部１２から全ての指を離す操作（全タッチの解除）や、一覧表示された各縮小画面中のボタン以外の領域に対して１点追加するタッチを一定時間続ける操作（２点タッチの長押し操作）が終了操作として扱われる。
【０１３１】
また、第１操作から少なくとも一点のタッチの維持を一覧表示モードの維持の条件としないとき（指を離してもかまわないようにするとき）、本実施形態の操作パネル１では、一覧表示された各縮小画面中のボタン以外の領域に対し、１点または２点タッチを行う操作が終了操作として扱われる。尚、終了操作は、上記の例に限られず、タッチ位置を特定方向に動かす操作や、３点タッチ操作など、適宜定めることができる。
【０１３２】
何れの場合でも、終了操作として定義された操作がなされると、タッチパネル部１２の出力に基づき、パネル制御部１０は、終了操作がなされたと認識する。終了操作がなされると、パネル制御部１０は、一覧表示モード（一覧表示）を表示部１１に終了させる。言い換えると、操作パネル１（表示部１１、タッチパネル部１２）は、通常モードに戻り、１種類の画面だけを表示し、何れかのボタンを操作しなければ、画面を切り替えない状態に戻る。
【０１３３】
そして、終了操作がなされたとき（一覧表示モードが終了したとき）、パネル制御部１０は、第１操作がなされた画面（一覧表示を開始した画面）を表示するようにしてもよい。これにより、複数階層分、遷移していても、いきなりもとの階層の画面を表示させることができる。
【０１３４】
また、終了操作がなされたとき（一覧表示モードが終了したとき）、パネル制御部１０は、一覧表示されている縮小画面のうち、いずれかの縮小画面を元のサイズに戻して表示部１１に表示させるようにしてもよい。例えば、終了操作がなされたと認識された時点のタッチ位置の縮小画面を拡大表示して、通常モードに戻るようにすればよい。このようにすれば、第１操作が初めてなされた画面から異なる階層の画面に飛ぶことができる。
【０１３５】
このようにして、本実施形態に係る表示入力装置（操作パネル１）は、画面内にボタンを表示し、通常モードでは、操作されたボタンに応じて、表示中の画面から下位階層の画面と、上位階層の画面の何れか一方に、表示する画面を切り替える表示部１１と、表示部１１の画面に対する操作を受け付け、表示部１１に表示されたボタンに対する操作を受け付けるためのタッチパネル部１２と、を含み、タッチパネル部１２が予め定められた第１操作を受け付けたとき、表示部１１は、一覧表示モードでの表示を開始し、一覧表示モードでは、第１操作がなされた画面に対して１つ下の階層の画面から下位階層に向けて１つずつ階層を降りていくように選択される各階層の画面を、通常モードのときよりも縮小した縮小画面として、予め定められた画面数以下で、上位階層の画面から順に一覧表示することとした。
【０１３６】
これにより、ある画面から下位階層に向けて１つずつ階層を降りていく経路上の複数画面（複数階層分の画面）をまとめて表示させることができる。従って、下位階層に存在する複数の画面の内容を、一気にかつ直ちに確認することができ、ユーザーは、目的とする画面に到達するには、どのような画面切替が必要であるかを素早く理解できる。また、画面の表示における階層構造を容易に確認することもできる。
【０１３７】
又、タッチパネル部１２は、通常モードで、画面内に表示された何れかのボタンを長押しする操作を第１操作として受け付け、一覧表示モードとなったとき、表示部１１は、第１操作がなされたボタンに対応する画面を１階層目の画面とし、１階層目の画面から下位階層に向けて１つずつ階層を降りていくように選択される各階層の画面を縮小して一覧表示することとした。
【０１３８】
これにより、下位階層にどのような画面があるかを確認したいボタンに対して第１操作を行うことで、一覧表示する画面の範囲（経路）を限定し、階層上の経路（切替過程）を初期段階で絞り込むことができる。
【０１３９】
又、タッチパネル部１２は、一覧表示モードで一覧表示された何れかの縮小画面に含まれるボタンに対する操作である指定操作を受け付け、指定操作がなされたとき、表示部１１は、指定操作がなされた縮小画面以上、階層的に上位の縮小画面をそのままの表示し、指定操作がなされた縮小画面よりも階層的に下位の縮小画面に代えて、指定操作がなされたボタンに対応する画面の縮小画面を表示するようにしてもよい。
【０１４０】
これにより、階層を降りていく途中（過程）でのボタン（設定項目）の選択を可能として、選択したボタンに対応する画面（選択したボタンの１つ下の階層として関連付けられた画面）を表示させることができる。従って、ユーザーは、経路の別の分岐先にどのような画面があるかを手軽に確認することができる。
【０１４１】
又、指定操作がなされたとき、表示部１１は、指定操作がなされた縮小画面よりも階層的に下位の縮小画面に代えて、指定操作がなされたボタンに対応する画面の縮小画面と、対応する画面から下位階層に向けて１つずつ階層を降りていくように選択される各階層の画面の縮小画面を表示するようにしてもよい。
【０１４２】
これにより、第１操作に応じて自動的に選択された画面（経路）に代えて、指定操作されたボタンを操作したならば表示され得る１又は複数の画面を新たに表示させることができる。従って、ユーザーは、経路の別の分岐先にどのような画面があるかを詳細に確認することができる。
【０１４３】
又、タッチパネル部１２は、一覧表示モードで一覧表示された何れかの縮小画面に含まれるボタンに対する操作である指定操作を受け付け、指定操作がなされたとき、表示部１１は、指定操作前に表示されていた全ての縮小画面に代えて、指定操作がなされたボタンに対応する画面と、対応する画面から下位階層に向けて１つずつ階層を降りていくように選択される各階層の画面の縮小画面を一覧表示するようにしてもよい。
【０１４４】
これにより、第１操作に応じて自動的に選択された画面（経路）に代えて、指定操作されたボタンに対応する画面（選択したボタンの１つ下の階層として関連付けられた画面）を起点として、１つずつ階層を降りていくように選択される各階層の画面を１又は複数、新たに表示させることができる。従って、ユーザーは、経路の別の分岐先にどのような画面があるかを詳細に確認することができる。
【０１４５】
又、表示部１１は、一覧表示モードでは、階層的に予め定められた配列順で縮小画面を一覧表示することとした。
【０１４６】
これにより、一覧表示された画面は、予め定められた階層順に表示させることができる。従って、一覧表示された画面のうち、どの画面が上から何番目の階層かを直ちに認識することができる。
【０１４７】
又、表示部１１は、第１操作がなされたボタンに対して予め定められた経路で１つずつ階層を降りていく過程の画面の縮小画面を一覧表示するか、画面内のうち予め定められた位置のボタンに対する操作を行ったものとして１つずつ階層を降りていく過程の画面の縮小画面を一覧表示するか、又は、第１操作がなされたボタンに対応する画面から階層的に最も深い画面に到るように１つずつ階層を降りていく過程の画面の縮小画面を一覧表示することとした。
【０１４８】
この構成によれば、表示部１１は、第１操作がなされたボタンに対して予め定められた経路で１つずつ階層を降りていく過程の画面を一覧表示するようにしてもよい。この場合、ユーザーは何ら操作することなく、下位階層に向けて１つずつ階層を降りていくように自動的に選択された各階層の画面を一気に表示させ、画面の内容を確認することができる。また、画面内のうち予め定められた位置のボタンに対する操作を行ったものとして１つずつ階層を降りていく過程の画面を一覧表示するようにしてもよい。この場合、ユーザーは何ら操作することなく、一定の法則性のもと、下位階層に向けて１つずつ階層を降りていくように自動的に選択された各階層の画面を一気に表示させ、画面の内容を確認することができる。又は、第１操作がなされたボタンに対応する画面から階層的に最も深い画面に到るように１つずつ階層を降りていく過程の画面を一覧表示するようにしてもよい。この場合、ユーザーは何ら操作することなく、最も深い（最下位の）階層まで（自動的に選択される画面数が最も多くなるように）、下位階層に向けて１つずつ階層を降りていくように自動的に選択された各階層の画面を一気に表示させ、画面の内容を確認することができる。
【０１４９】
又、タッチパネル部１２が予め定められた終了操作を受け付けたとき、表示部１１は、一覧表示モードを終了して通常モードに戻り、通常モードに戻ると、第１操作がなされた開始された画面を表示するようにしてもよい。
【０１５０】
これにより、終了操作により一覧表示モードを終了したとき、第１操作がなされた画面に、いきなり戻ることができる。
【０１５１】
又、タッチパネル部１２が予め定められた終了操作を受け付けたとき、表示部１１は、一覧表示モードを終了して通常モードに戻り、通常モードに戻ると、一覧表示されている縮小画面のうち、いずれかの縮小画面の通常サイズの画面を表示するようにしてもよい。
【０１５２】
これにより、一覧表示されている何れか画面で通常モードに戻ることができる。
【０１５３】
又、画像形成装置（複合機１００）は、上述の表示入力装置（操作パネル１）を含む。
【０１５４】
従って、どのような画面が下位階層にあるかを容易に確認でき、操作すると表示される画面や画面の表示における階層構造を容易に確認できる画像形成装置を提供することができる。
【０１５５】
本発明の実施形態を説明したが、本発明の範囲はこれに限定されるものではなく、発明の主旨を逸脱しない範囲で種々の変更を加えて実施することができる。
【産業上の利用可能性】
【０１５６】
本発明は、表示部とタッチパネル部を含む表示入力装置や、画像形成装置に利用可能である。
【符号の説明】
【０１５７】
１００  複合機（画像形成装置）          １      操作パネル（表示入力装置）
１１    表示部                          １２    タッチパネル部
５１    メインメニュー画面（画面）      ５２    ユーザー管理画面（画面）
５３    ゲスト認可設定画面（画面）      ５４    ゲストプロパティ設定画面（画面）
５５    使用制限設定画面（画面）        ５６    送信制限設定画面（画面）
５７    登録・編集画面（画面）
５８    ユーザープロパティ設定画面（画面）
５９    マイパネル設定画面（画面）      ５１０  言語設定画面（画面）
５１１  一覧表示設定画面（画面）        Ｂ１    ユーザー管理ボタン（ボタン）
Ｂ２    認証方式ボタン（ボタン）        Ｂ３    ユーザーリストボタン（ボタン）
Ｂ４    ローカル認可ボタン（ボタン）    Ｂ５    ゲスト認可ボタン（ボタン）
Ｂ６    ゲスト認可可否ボタン（ボタン）  Ｂ７    ゲストプロパティボタン（ボタン）
Ｂ８    認可情報ボタン（ボタン）        Ｂ９    送信制限ボタン（ボタン）
Ｂ１０  制限実行ボタン（ボタン）        Ｂ１１  制限不実行ボタン（ボタン）
Ｂ１２  ＯＫボタン（ボタン）            Ｂ１３  キャンセルボタン（ボタン）
Ｂ１４  戻るボタン（ボタン）            Ｂ１５  新規登録ボタン（ボタン）
Ｂ１６  編集ボタン（ボタン）            Ｂ１７  マイパネルボタン（ボタン）
Ｂ１８  初期画面ボタン（ボタン）        Ｂ１９  言語ボタン（ボタン）
Ｂ２０  第１ボタン（ボタン）            Ｂ２１  第２ボタン（ボタン）
Ｂ２２  第３ボタン（ボタン）            Ｂ２３  第４ボタン（ボタン）
Ｂ２０  第１ボタン（ボタン）            Ｂ２１  第２ボタン（ボタン）
Ｂ２２  第３ボタン（ボタン）            Ｂ２３  第４ボタン（ボタン）
Ｂ２４  第５ボタン（ボタン）
【図１】
0005938389.tif 000002
【図３】
0005938389.tif 000003
【図４】
0005938389.tif 000004
【図５】
0005938389.tif 000005
【図６】
0005938389.tif 000006
【図７】
0005938389.tif 000007
【図８】
0005938389.tif 000008
【図９】
0005938389.tif 000009
【図１０】
0005938389.tif 000010
【図１１】
0005938389.tif 000011
【図１２】
0005938389.tif 000012
【図１３】
0005938389.tif 000013
【図１４】
0005938389.tif 000014
【図１５】
0005938389.tif 000015
【図１６】
0005938389.tif 000016
【図１７】
0005938389.tif 000017
【図１８】
0005938389.tif 000018
【図１９】
0005938389.tif 000019
【図２】
0005938389.tif 000020